(57)【要約】  本発明は負圧で自動的に洗剤を入れる洗濯機と制御方法を提供するが、当該洗濯機は取水ロ、洗剤容器と洗濯槽を含んで、取水口と洗濯槽の間に取水通路が二本あって、それぞれ主取水通路と洗浄水通路で、洗浄水路と洗濯槽の間に定格容量容器を設けて、定格容量容器と洗剤容器がつながって、主取水通路にベンチュリ管を設けて、主取水通路の水流がベンチュリ効果の原理を利用して、細くなり、取水の流速を加速して、ベンチュリ管の後側に相対的な真空エリアを形成して、当該相対的な真空エリアが定格容量容器につながって、定格容量容器に負圧が発生して、定格容量容器につながった洗剤容器内の洗剤を定格容量容器内に抽出する。本発明は手動による洗剤添加の手間と洗剤添加量の過不足のことを解決して、同時にその他の洗剤投入構造を取って代わって、洗濯工程のオートメーション化を実現して、洗濯効率を高めるのである。  【選択図】図３
2013512053.tif 000002
【特許請求の範囲】
【請求項１】
主取水路を経由して洗濯槽に水を入れ、洗浄水路で洗剤を洗濯槽に入れ、主取水路で水を入れる時に、主取水路の水で発生した負圧を利用して、洗剤容器内の洗剤を定格容量容器内に抽出し、更に洗浄水路で水を定格容量容器に入れて洗剤を希釈してから洗濯槽に入れて、一回または複数回投入を繰り返して定量洗剤の自動投入を実現することを特徴とする負圧による洗剤自動投入方法。
【請求項２】
洗濯槽内の衣服の量および／または生地の質および／または汚れの程度および／または取水水温および／または水質によって投入する必要がある洗剤の量を計算して、更に水の負圧で洗剤を定格容量容器に抽出する回数を計算することを特徴とする請求項１に記載の負圧による洗剤自動投入方法。
【請求項３】
主取水通路にベンチュリ管を設けて、ベンチュリ効果を利用し、水の流れが細くなって、水の流速を加速し、ベンチュリ管の出口の後側に相対的な真空エリアを形成して、当該真空エリアが定格容量容器とつながり、定格容量容器に負圧が発生し、定格容量容器とつながる洗剤容器内の洗剤を定格容量容器に抽出することを特徴とする請求項１に記載の負圧による洗剤自動投入方法。
【請求項４】
主取水路で取水する前に、定格容量容器が洗浄水路の間、そして洗浄槽を閉鎖して、定格容量容器が主取水路、そして洗剤容器につながり、主取水路で取水する時に、負圧で洗剤を定格容量容器の設定量まで抜き取った後、定格容量容器と主取水路の間を閉鎖し、この時に洗浄水路から水が入り始め、定格容量容器が洗浄水路との間及び洗浄水路との間の通路を開けて、定格容量容器と洗剤容器の間の通路を閉じ、洗剤を希釈してから洗浄槽に入れることを特徴とする請求項１に記載の負圧による洗剤自動投入方法。
【請求項５】
定格容量容器と洗浄水路の間、定格容量容器と洗剤容器の間に同じ調節弁でコントロールされ、定格容量容器と洗浄水路の間が閉鎖された場合、定格容量容器と洗剤容器の間につながり、逆に、定格容量容器と洗浄水路の間につながった場合、定格容量容器と洗剤容器の間が閉鎖されることを特徴とする請求項４に記載の負圧による洗剤自動投入方法。
【請求項６】
繰り返し負圧で洗剤を定格容量容器に抽出し、そして洗浄水路で洗剤を希釈してから洗濯槽に入れて、洗剤の総量が洗剤の設定量を満たした後に、洗浄水路と主取水路と一緒に水を洗濯槽の水が設定水位になるまで入れてから、取水を停止することを特徴とする請求項５に記載の負圧による洗剤自動投入方法。
【請求項７】
取水口、洗剤容器と洗濯槽を含んで、上記の取水口と洗濯槽の間に取水路を二本設けて、それぞれ主取水路と洗浄水路で、洗浄水路と洗濯槽の間に定格容量容器を設けて、定格容量容器と洗剤容器がつながって、主取水路に水で負圧が発生するベンチュリ管を設けて、ベンチュリ管の出口の後側に定格容量容器につながる支管を設けて、主取水路で水を洗濯槽に入れる工程に負圧が発生して、洗剤容器内の洗剤を定格容量容器に抽出し、更に洗浄水路で水を定格容量容器に入れて洗剤を希釈してから洗濯槽に入れることを特徴とする請求項１−６のうちいずれか一項に記載の方法を利用する洗濯機。
【請求項８】
上記の主取水路と取水口の間に主取水弁を設けて、洗浄水路と取水口の間に洗浄水弁を設けて、洗浄水弁と定格容量容器の間に洗浄調節弁を設けて、定格容量容器と支管との接続口に接続口を閉鎖する閉鎖調節弁を設けて、定格容量容器と洗濯槽の間に取水調節弁を設けていることを特徴とする請求項７に記載の洗濯機。
【請求項９】
洗浄水弁と洗浄調節弁の間にチェックバルブの構造を設けていることを特徴とする請求項８に記載の洗濯機。
【請求項１０】
上記の洗剤容器が少なくとも１つある。すべての容器に液体洗剤、柔軟液、消毒液またはその他の洗浄用液を入れて、洗浄水弁と定格容量容器の間及び洗剤容器と定格容量容器の間に、洗剤容器の数量に対応して同じ数量の通路を設けて、すべての通路に洗浄調節弁を設けて、当該洗浄調節弁が通路のつながりをコントロールする同時に、対応する定格容量容器と洗剤容器の間の閉鎖をコントロールするが、通路の閉鎖をコントロールする時に、同時に対応する定格容量容器と洗剤容器の間のつながりをコントロールすることを特徴とする請求項８または９に記載の洗濯機。
【請求項１１】
上記の定格容量容器がそれぞれ異なった液体洗剤を入れる洗剤容器とつながって、各洗剤容器と定格容量容器との接続口で洗剤調節弁を設けて、洗浄水弁と定格容量容器の間の洗浄調節弁が定格容量容器の接続口で設けられていることを特徴とする請求項８または９に記載の洗濯機。
【請求項１２】
上記の洗浄調節弁は駆動源が発生する電磁石とゴムで包まれる磁石ボールバルブを含んでいるが、電磁石に電気を入れると、磁石ボールバルブを吸引して洗浄水弁と定格容量容器の間の通路を閉鎖して、しかも定格容量容器と洗剤容器の間の通路を開けて、或いは電磁石に電気を切った後に洗浄水路で取水して磁石ボールバルブに衝撃を与え洗浄水弁と定格容量容器の間の通路を開けて、定格容量容器と洗剤容器の間の通路を閉鎖する。閉鎖調節弁がフローティングボールバルブや電磁弁で、取水調節弁がフローティングボールバルブや電磁弁であることを特徴とする請求項１０に記載の洗濯機。
【請求項１３】
上記の洗浄調節弁、洗剤調節弁が電磁弁で、閉鎖調節弁がフローティングボール弁や電磁弁で、取水調節弁がフローティングボールバルブや電磁弁であることを特徴とする請求項１１に記載の洗濯機。
【請求項１４】
上記の洗剤容器が洗濯機に固定された洗剤容器や洗濯機に据え付けられた外付け式洗剤容器で、洗剤容器と定格容量容器の間が閉鎖されてつながっていることを特徴とする請求項７に記載の洗濯機。
【請求項１５】
上記の主取水路と洗浄水路の取水がすべて同じ取水箱を経由して洗濯槽に入ることを特徴とする請求項７に記載の洗濯機。
【請求項１６】
上記の洗剤容器内に洗剤の有無を検出するニ本のプローブを設けているが、その中、あるプローブが洗剤容器の下部の側面に位置して、側面から内へ挿入し、別のプローブが洗剤容器の下部の側面に位置して、側面から内へ挿入して、あるいは洗剤容器の上部の上側に位置して、上から下へ挿入し、二本のプローブが接触していないことを特徴とする請求項７に記載の洗濯機。
【請求項１７】
洗濯機に電気を入れると、洗濯槽内の衣服の量および／または生地の質および／または汚れの程度および／または取水の水温および／または水質、および選択した洗濯プログラムと洗剤のタイプによって、洗濯機が自動的に必要な洗剤量を計算して、更に定格容量容器の容積によって洗剤の投入回数を判断し、主取水路から水を入れる時に、水がベンチュリ管を通して発生した負圧で自動的に洗剤を定格容量容器に抽出し、更に洗浄水路で水を定格容量容器内に入れて洗剤を希釈して洗濯槽に入れ、一回または複数回繰り返して自動的に定量の洗剤を入れることを実現することを特徴とする請求項７−１６のうちいずれか一項に記載の洗濯機の制御方法。
【請求項１８】
洗剤を定格容量容器に抽出する工程に必要な時間は主に主取水路の取水流量と定格容量容器の容積によって確定されるが、主取水路の取水流量によって水が設定水位になる時間を計算して、毎回の取水時に自動的に洗剤を投入する最大の回数を判断することができ、主取水路の取水時間が必要な洗剤の投入時間を満たすことができない場合、ユーザーに手動で洗剤を入れることに注意したり、洗剤のタイプによって普通型と濃縮型洗剤を選んだり、洗濯の回数を選んだりすることを特徴とする請求項１７に記載の制御方法。
【請求項１９】
毎回洗剤を入れる時、先に主取水路で水を入れて、負圧で洗剤を定格容量容器に抽出しそれを満たした後に、定格容量容器と主取水路の間に自動的に閉鎖するようになり、定格容量容器を満たした後に、主取水路を閉鎖して、洗浄水路で水を入れて、定格容量容器が洗浄水路との間及び洗濯槽との間の通路を開けて、同時に定格容量容器と洗剤容器の間の通路を閉鎖して、洗剤を希釈してから洗濯槽に入れることを特徴とする請求項１７に記載の制御方法。
【請求項２０】
毎回定格容量容器の洗剤を希釈して洗濯槽に入れた後に、主取水路と洗浄水路を閉鎖して、定格容量容器の中のものを排出し、当該排出時間が定格容量容器の容積によって確定されることを特徴とする請求項１９に記載の制御方法。
【請求項２１】
洗剤を投入せずに水を入れたり、洗剤を入れた後に水を入れたりする時、主取水路と洗浄水路が一緒に水を入れることを特徴とする請求項２０に記載の制御方法。
【請求項２２】
洗浄工程での洗剤自動投入の具体的なステップとして、以下：
ステップ１        衣服の測定で、洗剤の供給回数を判断する
ステップ２        主取水路で水を入れ始める
ステップ３        洗剤を定格容量容器に抽出する
ステップ４        主取水路が閉鎖して、洗浄水路を開けて水を入れ、洗剤を希釈してから洗濯槽に入れる
ステップ５        洗浄水路を閉鎖して、定格容量容器の中のものを排出する
ステップ６        再度洗剤を投入する必要がある場合、ステップ２に戻り、ない場合、次に進む
ステップ７        設定水位に達したのか、判断し、達している場合、ステップ９に進み、達していない場合、次に進む
ステップ８        主取水路と洗浄水路で一緒に水を設定水位まで入れる
ステップ９        主取水路と洗浄水路を閉鎖して、洗濯する
ステップ１０        洗濯の終了後に、洗濯を繰り返す場合、ステップ２に戻り、繰り返さない場合、洗濯を終了して水洗に進む
ステップを特徴とする請求項２１に記載の制御方法。
【請求項２３】
水洗工程での柔軟剤自動投入の具体的なステップとして、以下：
ステップ１        水洗し始める
ステップ２        柔軟剤を供給する場合、次に進み、供給しない場合、ステップ８に進む、
ステップ３        主取水路で水を入れ始めて、柔軟剤を定格容量容器に抽出する
ステップ４        主取水路が閉鎖して、洗浄水路を開けて水を入れて、柔軟剤を希釈してから洗濯槽に入れる
ステップ５        洗浄水路を閉鎖して、定格容量容器の中のものを排出する
ステップ６        再度柔軟剤を供給する必要がある場合、ステップ３に戻り、ない場合は、次に進む
ステップ７        設定水位に達したのか、判断し、達した場合、ステップ９に進み、達しない場合、次に進む
ステップ８        主取水路と洗浄水路で一緒に水を設定水位まで入れる
ステップ９        主取水路と洗浄水路を閉鎖して、水洗する
ステップ１０        水洗の終了後、排水前に定格容量容器を洗浄する
ステップを特徴とする請求項２１または２２に記載の制御方法。
【発明の詳細な説明】
【技術分野】
【０００１】
本発明は洗濯機と制御方法に関するもので、具体的には洗濯機への洗剤投入方法、特に負圧による洗剤自動投入洗濯機、および当該洗濯機の制御方法に関するものである。
【背景技術】
【０００２】
伝統的な洗濯機は洗濯中に使われる洗剤と洗濯機が別に置かれており、洗濯機に洗剤投入装置を設けていないので、洗剤を自動的に投入することができない。この構造では洗濯機の自動洗濯制御プロセスを実現することができない。洗濯機のオートメーション化の向上に従って、大部分の洗濯機は洗剤および／または柔軟剤を入れる洗剤容器と取水管路がつながっており、取水で洗剤容器内の洗剤および／または柔軟剤を洗濯槽に入れることを設けているが、当該構造で洗濯する前に洗剤および／または柔軟剤を洗剤容器に入れなければならないので、同様に全自動洗濯制御を実現していない。
【０００３】
現在、洗剤自動投入装置に関する特許出願が多くあるが、出願番号が９７２０８７２３．０の中国特許では洗濯機の洗剤投入装置を提供した。それは洗濯機の本体に瓶と接続する容器を設けて、容器の底部に円錐の通孔があって、通孔に垂直固定シートを固定して、垂直固定シートが洗剤導管を固定して、瓶体が容器と協力して、瓶口に円錐状導管を設けて、瓶体の底部に換気口がある。この構造では洗剤の供給量をコントロールができず、加えて壊れやすく洗剤を浪費する。
【０００４】
出願番号が９９１０１７６７．６の中国特許には、自動的に液体洗剤を入れることができる洗濯機を提供したが、それは、１つの洗濯槽、１つの洗剤容器、１つの供給通路の開／閉バルブを含んで、洗剤容器の底部の孔から洗濯槽に入れる洗剤の量がバルブに制御されて、そして洗剤容器内に洗剤量を測定するセンサーを設けている。この構造では直接に希釈されていない洗剤を洗濯槽に入れるようになり、衣服を破損する恐れがある。
【０００５】
出願番号が２００６１０１３６０５９．９の中国特許にはサイフォンユニットを有する洗剤容器を持つ洗濯機の洗剤投入装置を提供して、洗剤を洗剤容器に入れて、水を洗剤容器に入れて箱内の洗剤を希釈した後にサイフォンユニットから洗濯槽に排出する。本発明は濃い洗剤を直接に洗濯槽に入れることによる衣服への破損問題を解決したが、洗剤の自動投入の精確な制御を実現することができない。
【０００６】
出願人が先に登録した出願番号の２００７１０１４６２９５．３の中国特許には、自動的に洗剤を入れる洗濯機と洗濯方法を提供したが、当該洗濯機は、洗濯槽、各種類の生地のコントロールボタンを含むコントロールパネル、衣服重量センサー、洗濯槽に設けられる温度センサー、水質硬度センサー、洗濯用水汚れセンサー、上部の貯蔵箱と下部の希釈箱で構成される洗剤容器と各種類のセンサーの測定結果によって、貯蔵箱内の洗剤が希釈箱に入る量をコントロールするコンピュータープレートを含む。貯蔵箱の上蓋に洗剤注入口を設けて、底部に洗剤排出口と洗剤排出口の開閉をコントロールする電磁弁を設けている。希釈箱の側面に洗濯機の取水弁につながる注水管を設けて、底部にサイフォンパイプを設けている。電磁弁のフィールド・コイルが貯蔵箱の上蓋に設けられて、電磁弁の電動子がステムを経由して貯蔵箱の底部の洗剤排出口に設けられている錐体形バルブプラグに接続されて、錐体形バルブプラグと貯蔵箱の上蓋の間に押さえばねを設けている。この構造では精確に洗剤をコントロールすることができるが、構造が複雑で、コストが高い。
【０００７】
上記のことに鑑みて本発明を案出した。
【発明の概要】
【課題を解決するための手段】
【０００８】
本発明で解決しようとする技術問題は現在の技術の欠点を克服して、衣服の重量、汚れの程度、布の生地、洗濯水の温度と水質などのその他の要素の測定結果によって、洗浄効果を保証した上で、水の負圧による吸引力で自動的に最も合理的な使用量の洗剤を入れる方法を提供する。
【０００９】
本発明のもう１つの目的は負圧で自動的に洗剤を入れることができる洗濯機を提供することにある。
【００１０】
本発明の更なる目的は洗濯機の自動的に洗剤を入れるコントロール方法を提供することにある。
【００１１】
上記の技術問題を解決するために、本発明で採用される技術方案の基本的な構想として、主取水通路で洗濯槽に水を入れて、洗浄水通路で洗剤を洗濯槽に入れ、主取水通路で水を入れる場合、主取水通路の水で発生した負圧で、洗剤容器内の洗剤を定格容量容器に抽出し、更に洗浄水通路で水を定格容量容器に入れて、洗剤を希釈して洗濯槽に入れて、一回または数回繰り返して自動的に定量の洗剤を入れることを実現する負圧による洗剤自動投入方法。
【００１２】
洗濯槽内の衣服の量および／または布の生地および／または汚れの程度および／または取水の水温および／または水質によって、入れる必要な洗剤の量を計算して、更に水の負圧で洗剤を定格容量容器に抽出する回数を計算する。
【００１３】
主取水通路にベンチュリ管を設けて、ベンチュリ効果を利用して、水の流れが細くなって、水の流速を加速し、ベンチュリ管の出口の後側に相対的な真空エリアを形成して、当該真空エリアが定格容量容器につながり、定格容量容器に負圧を発生させ、定格容量容器につながる洗剤容器内の洗剤を定格容量容器に抽出する。
【００１４】
主取水路で取水する前に、定格容量容器が洗浄水路の間と閉鎖して、洗浄槽と閉鎖して、定格容量容器が主取水路とつながって、洗剤容器とつながるが、主取水路で取水する時に、負圧で洗剤を定格容量容器の設定量まで抜き取った後に、定格容量容器と主取水路の間が閉鎖するようになって、この時に洗浄水路から水が入り始め、定格容量容器が洗浄水路との間及び洗濯槽との間の通路を開け、定格容量容器と洗剤容器の間の通路を閉鎖し、洗剤を希釈してから洗浄槽に入れる。
【００１５】
定格容量容器は洗浄水路の間と洗剤容器の間に同じ調節弁でコントロールして、定格容量容器と洗浄水路の間が閉鎖される時に、洗剤容器との間につながれる。逆に、定格容量容器と洗浄水路の間につながれる時に、洗剤容器との間が閉鎖される。
【００１６】
繰り返し負圧で洗剤を定格容量容器に抽出し、そして洗浄水路で洗剤を希釈して洗濯槽に入れて、洗剤の総量が洗濯設定量を満たした後に、洗浄水路と主取水路が一緒に水を入れて、洗濯用水が設定水位になるまで取水を停止する。
【００１７】
本発明による上記の洗剤自動投入方法を利用する洗濯機は、取水口、洗剤容器と洗濯槽を含んで、上記の取水口と洗濯槽の間に取水路を二本設けて、それぞれ主取水路と洗浄水路で、洗浄水路と洗濯槽の間に定格容量容器を設けて、定格容量容器と洗剤容器がつながって、主取水路に水の流れで負圧が発生するベンチュリ管を設けて、ベンチュリ管の出口の後側に定格容量容器とつながる支管を設け、主取水路で水を洗濯槽に入れる工程に負圧が発生し、洗剤容器内の洗剤を定格容量容器に抽出し、更に洗浄水路で水を定格容量容器に入れて洗剤を希釈してから洗濯槽に入れる。
【００１８】
前記の主取水路と取水口の間に主取水弁を設けて、洗浄水路と取水口の間に洗浄水弁を設け、洗浄水弁と定格容量容器の間に洗浄調節弁を設け、定格容量容器と支管との接続口に密封調節弁を設け、定格容量容器と洗濯槽の間に取水調節弁を設けている。
【００１９】
洗浄水弁と洗浄調節弁の間には、洗浄水弁で負圧が発生した時に、洗剤が洗浄水弁を経由して逆に水道水源に流れて水道水を汚染することを避けるチェックバルブを設けている。
【００２０】
前記の洗剤容器は少なくとも１つあるが、すべての容器に洗剤、柔軟剤、消毒液またはその他の洗浄用液を入れて、洗浄水弁と定格容量容器の間及び洗剤容器と定格容量容器の間に、洗剤容器の数量に対応して同じ数量の通路を設け、すべての通路に洗浄調節弁を設け、当該調節弁が通路のつながりをコントロールすると同時に、対応する定格容量容器と洗剤容器間の閉鎖をコントロールするが、通路の閉鎖をコントロールする時に、同時に対応する定格容量容器と洗剤容器の間の接続をコントロールする。
【００２１】
前記の定格容量容器はそれぞれ異なった洗剤を入れる洗剤容器とつながって、各洗剤容器は定格容量容器との接続口で洗剤調節弁を設けて、洗浄水弁と定格容量容器の間の洗浄調節弁が定格容量容器の接続口に設けられている。
【００２２】
前記の洗浄調節弁は駆動源が発生する電磁石とゴムで包まれる磁石ボールバルブを含んでいるが、電磁石に電気を入れると、磁石ボールバルブを吸引して洗浄水弁と定格容量容器の間の通路を閉鎖し、さらに定格容量容器と洗剤容器の間の通路を開けて、或いは電磁石に電気を切った後に洗浄水路で取水して磁石ボールバルブに衝撃を与え洗浄水弁と定格容量容器間の通路を開けて、定格容量容器と洗剤容器の間の通路を閉鎖する。閉鎖調節弁はフローティングボールバルブや電磁弁で、取水調節弁はフローティングボールバルブや電磁弁である。
【００２３】
前記の洗浄調節弁、洗剤調節弁は全て電磁弁で、閉鎖調節弁はフローティングボールバルブや電磁弁で、取水調節弁はフローティングボールバルブや電磁弁である。
【００２４】
前記の洗剤容器は洗濯機に固定される洗剤容器や洗濯機に据え付けられる外付け式洗剤容器で、洗剤容器と定格容量容器の間が閉鎖してつながる。
【００２５】
前記の主取水路と洗浄水路の取水は同じ取水箱を経由して洗濯槽に入る。
【００２６】
前記の洗剤容器内に洗剤の有無を検出するニ本のプローブを設けているが、その中で、あるプローブが洗剤容器の下部の側面に位置して、側面から内へ挿入している。別のプローブが洗剤容器の下部の側面に位置して、側面から内へ挿入して、あるいは洗剤容器の上部の上側に位置して、上から下へ挿入している。二本のプローブが接触していない。
【００２７】
本発明に述べられる洗濯機はパルセータやロールまたはその他のいかなる方式の洗濯機で、取水口と洗濯槽の間に更にその他の洗濯機に有する取水通路、例えば洗浄凝縮水通路などを設けることができる。
【００２８】
上記の洗濯機の制御方法として、洗濯機に電気を入れると、洗濯槽内の衣服の量および／または布の生地および／または汚れの程度および／または取水の水温および／または水質、および選択した洗濯プログラムと洗剤のタイプによって、洗濯機は自動的に必要な洗剤量を計算して、更に定格容量容器の容積によって洗剤の供給回数を判断する。主取水で水を入れる時に、水がベンチュリ管を通して発生した負圧で自動的に洗剤を定格容量容器に抽出し、更に洗浄水路で水を定格容量容器内に入れて洗剤を希釈して洗濯槽に入れる。一回または複数回繰り返して自動的に定量の洗剤を入れることを実現する。
【００２９】
洗剤を定格容量容器に抽出する工程に必要な時間は主に主取水路の取水流量と定格容量容器の容積で確定されるが、主取水路の取水流量によって水が設定水位になる時間を計算して、毎回の取水時に自動的に洗剤を投入する最大の回数を判断することができる。もし主取水路の取水時間が必要な洗剤投入時間を満たすことができない場合、ユーザーに手動で洗剤を入れることに注意したり、洗剤のタイプによって普通型と濃縮型洗剤を選んだり、洗濯の回数を選んだりする。
【００３０】
毎回洗剤を入れる時、先に主取水路で水を入れて、負圧で洗剤を定格容量容器に抽出しそれを満たした後に、定格容量容器と主取水路の間に自動的に閉鎖するようになる。定格容量容器を満たした後に、主取水路を閉鎖して、洗浄水路で水を入れて、定格容量容器が洗浄水路との間及び洗濯槽との間の通路を開けて、同時に定格容量容器と洗剤容器の間の通路を閉鎖し、洗剤を希釈してから洗濯槽に入れる。
【００３１】
毎回定格容量容器の洗剤を希釈して洗濯槽に入れた後に、主取水路と洗浄水路を閉鎖して、定格容量容器の中のものを排出する。当該排出時間は定格容量容器の容積によって確定する。
【００３２】
洗剤を入れずに水を入れたり、洗剤を入れてから水を入れたりする時に、主取水路と洗浄水路に一緒に水を入れる。
【００３３】
洗濯中に自動的な洗剤供給の具体的なステップとして、
ステップ１        衣服の測定で、洗剤の供給回数を判断する。
ステップ２        主取水路で水を入れ始める。
ステップ３        洗剤を定格容量容器に抽出する。
ステップ４        主取水路が閉鎖して、洗浄水路を開けて水を入れて、洗剤を希釈してから洗濯槽に入れる。
ステップ５        洗浄水路を閉鎖して、定格容量容器の中のものを排出する。
ステップ６        再度洗剤を供給する必要があるのか、はいの場合、ステップ２に戻る。いいえの場合、次に進む。
ステップ７        設定水位に達したのか、判断する。はいの場合、ステップ９に進む。いいえの場合、次に進む。
ステップ８        主取水路と洗浄水路で一緒に水を設定水位まで入れる。
ステップ９        主取水路と洗浄水路を閉鎖して、洗濯する。
ステップ１０        洗濯の終了後に、繰り返すのか。はいの場合、ステップ２に戻る。いいえの場合、洗濯を終了して水洗に進む。
【００３４】
水洗中に自動的な柔軟剤供給の具体的なステップとして、
ステップ１        水洗し始める。
ステップ２        柔軟剤を供給するのか、判断する。はいの場合、次に進む。いいえの場合、ステップ８に進む。
ステップ３        主取水路で水を入れ始めて、柔軟剤を定格容量容器に抽出する。
ステップ４        主取水路が閉鎖して、洗浄水路を開けて水を入れて、柔軟剤を希釈してから洗濯槽に入れる。
ステップ５        洗浄水路を閉鎖して、定格容量容器の中のものを排出する。
ステップ６        再度柔軟剤を供給する必要があるのか、はいの場合、ステップ３に戻る。いいえの場合、次に進む。
ステップ７        設定水位に達したのか、判断する。はいの場合、ステップ９に進む。いいえの場合、次に進む。
ステップ８        主取水路と洗浄水路で一緒に水を設定水位まで入れる。
ステップ９        主取水路と洗浄水路を閉鎖して、水洗する。
ステップ１０        水洗の終了後、排水前に定格容量容器を洗浄する。
【００３５】
上記の技術方案を採用した後に、本発明は現在の技術と比べると、下記の有利な効果を持つ。
【００３６】
本発明は洗濯効果に影響を与えない上、水の流れで発生した負圧で自動的に最も合理的な洗剤を入れる洗濯機と当該洗濯機が洗濯、水洗時に自動的に洗剤を入れる具体的な方法を提供する。取水中の水の負圧の吸引力で自動的に洗剤を入れることを実現して、簡単な構造を採用して、手動で洗剤を入れる手間や洗剤の量の過不足を解決し、同時にその他の自動的な洗剤供給構造に取って代わって、生産と据付のコストを節約し、洗濯工程の全オートメーション化を実現し、洗濯効率を高めた。
【００３７】
次に図面を結び付けて本発明の具体的な実施例を詳しく説明する。
【図面の簡単な説明】
【００３８】
【図１】本発明の洗濯機の自動洗剤投入構造のイメージ図である。
【図２】本発明の洗濯機の自動洗剤投入の別の構造のイメージ図である。
【図３】本発明の洗濯機の自動洗剤投入の更なる別の構造のイメージ図である。
【図４】本発明の洗濯機の洗濯フローチャートである。
【図５】本発明の洗濯機の水洗フローチャートである。
【発明を実施するための形態】
【００３９】
図１と図２のように、本発明に述べた洗濯機は取水口１、洗剤容器２および洗濯槽３を含んで、取水口１と洗濯槽３の間に取水通路を二本、すなわち主取水路４と洗浄水路５を設け、主取水路４と取水口１の間に主取水弁６を、洗浄水路５と取水口１の間に洗浄水弁７を、洗浄水路５と洗濯槽３の間に定格容量容器８を設け、定格容量容器８と洗剤容器２がつながって、主取水路４の中に水で負圧が発生するベンチュリ管９を設け、ベンチュリ管９の後側に定格容量容器とつながっている支管１０を設け、主取水路４の水がベンチュリ管９を通して、ベンチュリ効果の原理を利用して水流が細くなり、取水流速を加速して、ベンチュリ管９の出口の後側で相対的な真空エリアを形成する。当該真空エリアが支管１０を経由して定格容量容器８とつながって、定格容量容器８に負圧が発生し、定格容量容器とつながっている洗剤容器２内の洗剤を定格容量容器８に抽出し、更に洗浄水路５で定格容量容器８に水を入れて洗剤を希釈して洗濯槽３に入れる。
【００４０】
その中に、定格容量容器８と支管１０の接続口で接続口を閉鎖する閉鎖調節弁１１を設けているが、当該閉鎖調節弁１１は電磁弁やフローティングボールバルブである。フローティングボールバルブの場合、洗剤が定格容量容器を満たした時に、フローティングボールバルブが接続口をとめる。上記の定格容量容器８と洗濯槽３の間に取水調節弁１６を設けているが、当該調節弁は電磁弁やチェックバルブである。チェックバルブの場合、洗浄水路に水が入った後に、チェックバルブを出して、洗剤を洗濯槽に入れる。上記の主取水路４と洗浄水路５の取水は同じ取水箱１８を通して洗濯槽３に入って、取水箱が何層の洗剤分配器箱で、取水口に当該分配器箱とつながるその他の管路を設けることができる。
【００４１】
上記の洗剤容器２は洗濯機に固定されている洗剤容器や洗濯機の外付式の洗剤容器で、定格容量容器８と閉鎖してつながっている。洗剤の再追加のために、洗剤容器はねじやその他の接続方式でつながることができる。洗剤容器２には洗剤の有無を検出する二本のプローブ２３を設けているが、その中に、１つのプローブが洗剤容器の下部の側面に位置して、側面から内へ挿入している。別のプローブが洗剤容器の上部に位置して、上から下へ挿入して（図１を参照）、あるいは別のプローブが上記のプローブと同じで洗剤容器の下部の側面に位置して、側面から内へ挿入する（図２を参照）。二本のプローブが接触せず、洗剤容器内の液体が二本のプローブの間まで減らした場合、洗濯機が「オフ」の状態を測定して、そしてユーザーに洗剤や消毒剤を入れるように提示する。上記の定格容量容器８が１つの洗剤容器２だけとつながったり、多数の異なった洗剤／柔軟剤、消毒液などの洗濯用液を入れる洗剤容器２とつながったりすることができる。図１、２のように、定格容量容器８が二種類の洗剤容器だけつながっているが、それはそれぞれ洗剤と柔軟剤を入れているものである。
【実施例１】
【００４２】
図１のように、上記の洗浄調節弁は駆動源が発生する電磁石とゴムで包まれる磁石ボールバルブを含んで、洗浄水弁７と定格容量容器８の間に対応する２つの洗剤容器に通路１２ａと通路１２ｂを設けて、通路１２ａと通路１２ｂの上にそれぞれ電磁石１３ａ、電磁石１３ｂを設けている。電磁石１３ａ、１３ｂに電気を入れた後に、磁石ボールバルブ１４ａ、１４ｂは通路１２ａ、通路１２ｂを閉鎖して、しかも定格容量容器８と洗剤容器２の間の通路１５ａ、１５ｂを開けて、或いは水が磁石ボールバルブ１４ａ、１４ｂに衝撃を与え、洗浄水弁７と定格容量容器８の間の通路１２ａ、１２ｂを開けて、さらに定格容量容器８と洗剤容器２の間の通路１５ａ、１５ｂを閉鎖する。
【実施例２】
【００４３】
図２のように、上記の洗浄調節弁、洗剤調節弁は電磁弁で、定格容量容器８がそれぞれ洗剤と柔軟剤を入れる洗剤容器２とつながって、通路１５ａ、１５ｂと定格容量容器８の接続口にそれぞれ電磁弁１５ｃ、１５ｄを設けて、洗浄水弁７と定格容量容器８の間に一本の通路１２だけあって、通路１２と定格容量容器８の接続口に電磁弁１３を設けている。
【実施例３】
【００４４】
図３のように、実施例一と実施例二との区別として、洗浄水弁７と洗浄調節弁の間には、洗浄水弁で負圧が発生した時に、洗剤が洗浄水弁を経由して逆に水道水源に流れて水道水を汚染することを避けるチェックバルブ構造８８を設けている。
【００４５】
本発明の洗剤自動投入洗濯機の制御方法として、洗濯機に電気を入れると、洗濯槽内の衣服の量および／または布の生地および／または汚れの程度および／または取水の水温および／または水質、および選択した洗濯プログラムと洗剤のタイプによって、洗濯機は自動的に必要な洗剤量を計算して、更に定格容量容器８の容積によって洗剤の投入回数を判断する。主取水で水を入れる時に、当該水で発生した負圧で自動的に洗剤を定格容量容器８に抽出し、更に洗浄水路５で水を定格容量容器８内に入れて洗剤を希釈して洗濯槽３に入れる。
【００４６】
洗剤を投入する洗濯プログラムは洗濯工程、洗浄前のディップと洗濯後の水洗を含んで、自動的に投入する洗剤は少なくとも汚れ落とし用の洗剤と衣服の柔軟性を増える柔軟剤を含んで、洗剤は普通型と濃縮型を含む。普通型洗剤は普通に何度も投入する必要があるが、濃縮型の場合、一回に投入すればよいのである。
【００４７】
洗剤を定格容量容器に抽出する工程に必要な時間は主に主取水路４の取水流量と定格容量容器８の容積によって確定されるが、主取水路４の取水流量によって水が設定水位になる時間を計算し、毎回の取水時に自動的に洗剤を投入する最大の回数を判断することができる。もし主取水路の取水時間が必要な洗剤の投入時間を満たすことができない場合、ユーザーに手動で洗剤を入れることに注意したり、洗剤のタイプによって普通型と濃縮型洗剤を選んだり、洗濯の回数を選んだりする。
【００４８】
毎回洗剤を入れる時、先に主取水路４で水を入れて、負圧で洗剤を定格容量容器８に抽出しそれを満たした後に、定格容量容器８と主取水路４の間に自動的に閉鎖するようになる。定格容量容器８を満たした後に、主取水路４を閉鎖して、洗浄水路５で水を入れて、定格容量容器８が洗浄水路５との間及び洗濯３槽との間の通路を開けて、同時に定格容量容器８と洗剤容器２の間の通路を閉鎖して、洗剤を希釈してから洗濯槽３に入れる。今回の洗剤投入ステップが次の投入量に影響を与えない、即ち、定格容量容器８が次に洗剤を投入する前に空であることを保証するために、毎回定格容量容器８の洗剤を希釈してから洗濯槽３に入れた後に、主取水路４と洗浄水路５を閉鎖して、定格容量容器８を空に排出する。当該排出時間は定格容量容器の容積によって確定する。洗剤を入れずに水を入れたり、洗剤を入れてから水を入れたりする時に、主取水路４と洗浄水路５に一緒に水を入れる。
【実施例４】
【００４９】
図１のように、定格容量容器８と支管１０の接続口に設けられる密封調節弁１１がフローティングボールバルブで、定格容量容器８と洗濯槽３の間に設けられる取水調節弁１６がチェックバルブで、洗浄水弁７と定格容量容器８の間に対応する２つの洗剤容器に通路１２ａと通路１２ｂを設けて、通路１２ａと通路１２ｂにそれぞれ電磁石１３ａ、１３ｂと磁石ボールバルブ１４ａ、１４ｂを設けて、定格容量容器８と洗剤容器２の間にそれぞれ通路１５ａ、１５ｂである。
【００５０】
主取水路４で水を入れる前に、定格容量容器８と洗浄水路５の間を閉鎖して、洗濯槽３との間を閉鎖して、定格容量容器８と主取水路４の間につながって、洗剤容器２との間につながって、即ち、電磁石１３ａ、１３ｂはそれぞれ定格容量容器８と洗浄水路５の間の通路１２ａ、１２ｂを引き付けて、定格容量容器８と洗剤容器２の間の通路１５ａ、１５ｂを開けて、閉鎖調節弁１１がフローティングボールバルブで、浮力がないので定格容量容器８と支管１０をつないで、取水調節弁１６がチェックバルブで、定格容量容器８と洗濯槽３の間の通路１７を閉鎖する。
【００５１】
図４のように、洗濯時に、洗濯槽内の衣服の量および／または布の生地および／または汚れの程度および／または取水水温および／または水質、および選択した洗濯プログラムと洗剤のタイプによって、洗濯機は自動的に洗剤の投入量を計算して、更に定格容量容器８の容積によって洗剤の投入回数を判断する。実際のテストによって、定格容量容器８を１５ｍｌに設定する場合、大多数の洗剤のブランド製品について、２０℃の環境温度、取水弁の流量を７Ｌ／分に制御する条件で、普通に２分に水をいっぱいに入れて、洗濯用水が２０〜４０Ｌの間に変化して、毎回の洗濯に１〜２回に投入するので、主取水弁６の開放時間を２分に設定して、洗浄水弁７の開放時間を３０秒に設定する。普通型洗剤について、一回の洗濯に洗剤を二回に、約３０ｍｌ投入する必要がある。濃縮型洗剤の場合、一回の洗濯に、洗剤を一回に、約１５ｍｌ投入する必要がある。
【００５２】
水を入れると、洗浄水弁７を閉鎖して、磁石ボールバルブ１４ｂが通路１５ｂを閉鎖して柔軟剤の投入を防止して、主取水弁６を開けて、磁石ボールバルブ１４ａが通路１５ａを開けて、一方的な閉鎖調節弁１１に浮力がないので、支管１０と定格容量容器８をつないで、主取水路４で水を入れて、取水箱１８を通して洗濯槽３に入れる。ベンチュリ管９の出口の後側に相対的な真空エリアを形成して、支管１０を通して定格容量容器８に負圧を発生させ、取水調節弁１６が閉鎖して定格容量容器８の閉鎖を確保すると、洗剤容器２内の洗剤は外部の大気圧と定格容量容器８内の気圧の差の作用で定格容量容器８に入って、２分の後に定格容量容器８を満たす。この時に主取水弁６が閉鎖して、洗浄水弁７が開けて、水によって磁石ボールバルブ１４ａ、１４ｂがそれぞれ通路１５ａ、１５ｂを閉鎖して、閉鎖調節弁１１が閉鎖して、取水調節弁１６は正方向で水に開通されて、定格容量容器８内の洗剤が水で取水箱１８を経由して、洗濯槽３に入れられる。洗浄の完成に洗浄水弁７を閉鎖して、定格容量容器８を空に排出して、一回の投入が完成する。この時更に投入する必要がない場合、設定水位に達したのか、測定する。設定水位に達していない場合、主取水弁６、洗浄水弁７を開けて、洗濯槽内の水位を設定の高さに達成する。再度に投入する必要がある場合、上記の投入プロセスを実行してから洗濯する。
【００５３】
洗濯の終了前に汚度センサーで水の汚れの程度を測定して、更に洗濯プロセスを繰り返すのか、判断する。このようにすると、元の洗濯工程を何段に分けて、洗濯の効力を高めることができる。
【００５４】
図５のように、洗濯が終了して水洗に進むと、取水時に磁石ボールバルブ１４ｂの開閉で洗剤容器２への柔軟剤の投入を実現して、磁石ボールバルブ１４ａで通路１５ａを閉鎖して、洗剤の投入を防止する。その他は洗濯中の洗剤投入ステップと同じである。柔軟剤は普遍的に粘度がわりに小さくので、実際のテストによって、普通に３０秒以内で定格容量容器８の満杯を確保することができるため、主取水弁６と洗浄水弁７がすべて３０秒内に開けられると、柔軟剤の投入と洗浄を完成することができる。
【００５５】
最後の水洗が終わって、排水前に、洗浄水弁７が３０秒内に開けられ、更に定格容量容器８を水で洗い流して、洗剤と柔軟剤の残留をできるだけ減らし、自己洗浄を完了させて、凝固で弁口の粘着を防ぐ。
【実施例５】
【００５６】
図２のように、定格容量容器８と支管１０の接続口に設けられる閉鎖調節弁１１が電磁弁で、定格容量容器８と洗濯槽３の間に設けられる取水調節弁１６がフローティングボールバルブ或いは電磁弁でよいが、定格容量容器８がそれぞれ洗剤と柔軟剤を入れる洗剤容器２とつながって、通路１５ａ、１５ｂと定格容量容器８の接続口にそれぞれ電磁弁１５ｃ、１５ｄを設けて、洗浄水弁７と定格容量容器８の間に一本の通路１２だけあって、通路１２と定格容量容器８の接続口にも電磁弁１３を設けている。その中に、通路１５ａが洗剤を入れる洗剤容器２につながって、通路１５ｂが柔軟剤を入れる洗剤容器２につながっている。
【００５７】
図４のように、洗濯時、主取水路４で水を入れて、閉鎖調節弁１１、電磁弁１５ｃを開けて、電磁弁１３、１５ｄ、取水調節弁１６を閉鎖する。主取水路４で水を入れて、水がベンチュリ管９を通して、ベンチュリ効果原理を利用して、ベンチュリ管９の出口の後側に相対的な真空エリアを形成して、支管１０を経由して定格容量容器８に負圧が発生して、負圧で洗剤を定格容量容器８に抽出しそれを満たした後に、主取水弁６を閉鎖して、洗浄水弁７、電磁弁１３、取水調節弁１６を開けて、閉鎖調節弁１１、電磁弁１５ｃ、１５ｄを閉鎖して、洗浄水路５の水が定格容量容器８に入って洗剤を希釈してから、更に取水箱１８を経由して洗濯槽３に入る。洗浄の完成に洗浄水弁７を閉鎖して、定格容量容器８を空に排出して、一回の投入が完成する。この時更に投入する必要がない場合、設定水位に達したのか、測定する。設定水位に達していない場合、主取水弁６を開けて、洗浄水弁７で洗濯槽内の水位を設定の高さに達成する。再度に投入する必要がある場合、上記の投入プロセスを実行してから洗濯する。
【００５８】
図５のように、洗濯が終了して水洗に進むと、取水時に電磁弁１５ｄを開けて洗剤容器２への柔軟剤の投入を実現して、電磁弁１５ｃを閉鎖して、液体洗剤の投入を防止する。その他は洗濯中の洗剤投入ステップと同じである。柔軟剤は普遍的に粘度がわりに小さいので、実際のテストによって、普通に３０秒以内で定格容量容器８の満杯を確保することができるため、主取水弁６と洗浄水弁７がすべて３０秒内に開けられると、柔軟剤の投入と洗浄を完成することができる。
【００５９】
最後の水洗が終わって、排水前に、洗浄水弁７が３０秒内に開けられて、更に定格容量容器８を水で洗い流し、洗剤と柔軟剤の残留をできるだけ減らし、自己洗浄を完了させ、凝固で弁口の粘着を防ぐ。
【００６０】
本発明は洗濯効果に影響を与えない上で、水で発生した負圧を利用して自動的に最も合理的な量の洗剤を投入する洗濯機を提供して、構造が簡単で、手動による洗剤投入の過不足のことを防止するだけではなく、同時にその他の洗剤自動投入構造によるコストの支出を節約し、またこれによって排出された洗濯水の環境に対する汚染を低減する洗濯方法を提供するとともに、洗濯プロセスのオートメーション化を実現して、洗濯効率を高める。
【００６１】
上記の実施例は本発明の好ましい実施例だけ説明したが、本発明の構想と範囲を制限するものではない。本発明の設計思想に離れない前提で、当分野の専門技術者が本発明の技術案に対して行う各種の変化と改善は、本発明の保護範囲に属する。
【図１】
2013512053.tif 000003
【図２】
2013512053.tif 000004
【図３】
2013512053.tif 000005
【図４】
2013512053.tif 000006
【図５】
2013512053.tif 000007
【国際調査報告】
2013512053.tif 000008
2013512053.tif 000009
2013512053.tif 000010
2013512053.tif 000011
2013512053.tif 000012
2013512053.tif 000013